(57)【要約】【課題】視聴者が録画の予約操作をすることを忘れても、更には録画の予約操作をすることに注意を払う必要もなく、不在で視聴できないＴＶ番組の録画を行うことが可能なＴＶ番組録画撮り忘れ防止用管理サーバ、ＴＶ番組録画撮り忘れ防止システム及びＴＶ番組録画撮り忘れ防止方法を提供すること。【解決手段】ＴＶ番組録画撮り忘れ防止用管理サーバは、録画予約機能付ＴＶ番組録画機に情報家電管理装置を介して接続されており、特定のＴＶ番組の放送時間に視聴者が前記特定のＴＶ番組を通常視聴するＴＶの存する場所に不在であるか否かを判定する不在状況判定手段（２２０）と、前記不在状況判定手段（２２０）が前記視聴者が不在であると判定したことに応じて、録画予約機能付ＴＶ番組録画機に前記特定のＴＶ番組の録画をさせるための指示をする録画指示手段（２３０）と、を備える。【選択図】図２
2008294683.tif 000002
【特許請求の範囲】
【請求項１】
録画予約機能付ＴＶ番組録画機に、情報家電管理装置を介して接続されたＴＶ番組録画撮り忘れ防止用管理サーバであって、
特定のＴＶ番組の放送時間に、視聴者が前記特定のＴＶ番組を通常視聴するＴＶの存する場所に、不在であるか否かを判定する不在状況判定手段と、
前記不在状況判定手段が、前記視聴者が不在であると判定したことに応じて、録画予約機能付ＴＶ番組録画機に、前記特定のＴＶ番組の録画をさせるための指示をする録画指示手段と、
を備えることを特徴とするＴＶ番組録画撮り忘れ防止用管理サーバ。
【請求項２】
ＴＶ番組の視聴に係る情報を受信する視聴情報受信手段と、
前記視聴情報受信手段により受信した前記ＴＶ番組の視聴に係る情報に基づいて、前記ＴＶ番組が視聴者に連続視聴されているか否かを判定する視聴連続性判定手段と、
を更に有し、
前記特定のＴＶ番組が、前記視聴連続性判定手段により視聴者に連続視聴されていると判定されたＴＶ番組であること、
を特徴とする請求項１に記載のＴＶ番組録画撮り忘れ防止用管理サーバ。
【請求項３】
放送時間における視聴者の不在状況に応じて録画すべきＴＶ番組の指定を受け付ける特定番組指定手段を更に有し、
前記特定のＴＶ番組が、前記特定番組指定手段により指定を受け付けられたＴＶ番組であること、
を特徴とする請求項１に記載のＴＶ番組録画撮り忘れ防止用管理サーバ。
【請求項４】
前記不在状況判定手段は、予め登録された前記視聴者の予定表に基づいて、前記ＴＶ番組の放送時間に前記視聴者が不在であるか否かを判定することを特徴とする請求項１から３のいずれかに記載のＴＶ番組録画撮り忘れ防止用管理サーバ。
【請求項５】
前記不在状況判定手段は、前記ＴＶ番組の放送時間前に取得した前記視聴者の位置データに基づいて、前記ＴＶ番組の放送時間に前記視聴者が不在であるか否かを判定することを特徴とする請求項１から３のいずれかに記載のＴＶ番組録画撮り忘れ防止用管理サーバ。
【請求項６】
前記視聴者の位置データは、前記ＴＶ番組の放送時間前に複数回の取得が試みられ、前記複数回のうち最も遅く試みられた前記視聴者の位置データの取得が成功しなかった場合は、前記複数回のうち前記視聴者の位置データの取得が成功したもののうち、最も遅く取得された前記視聴者の位置データであることを特徴とする請求項５に記載のＴＶ番組録画撮り忘れ防止用管理サーバ。
【請求項７】
複数の特定の場所の位置データと、当該特定の場所から自宅までの帰宅所要時間を保有し、
前記不在状況判定手段は、前記視聴者の位置データと前記特定の場所の位置データを比較し、近接すると判断した前記特定の場所から自宅までの帰宅所要時間に基づいて、前記ＴＶ番組の放送時間に前記視聴者が不在であるか否かを判定することを特徴とする請求項６に記載のＴＶ番組録画撮り忘れ防止用管理サーバ。
【請求項８】
前記視聴者の位置データは、ＧＰＳ対応携帯端末またはＰＨＳ端末を利用して取得する位置データであることを特徴とする請求項５から７のいずれかに記載のＴＶ番組録画撮り忘れ防止用管理サーバ。
【請求項９】
前記特定のＴＶ番組の放送時間は、番組表データに基づいて定めることを特徴とする請求項１から８のいずれかに記載のＴＶ番組録画撮り忘れ防止用管理サーバ。
【請求項１０】
録画予約機能付ＴＶ番組録画機と接続された情報家電管理装置と、ＴＶ番組録画撮り忘れ防止用管理サーバとを含むＴＶ番組録画撮り忘れ防止システムであって、
特定のＴＶ番組の放送時間に視聴者が前記特定のＴＶ番組を通常視聴するＴＶの存する場所に不在であるか否かを判定する不在状況判定手段と、
前記不在状況判定手段が、前記視聴者が不在であると判定したことに応じて、録画予約機能付ＴＶ番組録画機に前記特定のＴＶ番組の録画をさせるための指示をする録画指示手段と、
を備えることを特徴とするＴＶ番組録画撮り忘れ防止システム。
【請求項１１】
録画予約機能付ＴＶ番組録画機と情報家電管理装置とを含むＴＶ番組録画撮り忘れ防止システムであって、
特定のＴＶ番組の放送時間に、視聴者が前記特定のＴＶ番組を通常視聴するＴＶの存する場所に不在であるか否かを判定する不在状況判定手段と、
前記不在状況判定手段が、前記視聴者が不在であると判定したことに応じて、録画予約機能付ＴＶ番組録画機に、前記特定のＴＶ番組の録画をさせるための指示をする録画指示手段と、
を備えることを特徴とするＴＶ番組録画撮り忘れ防止システム。
【請求項１２】
ＴＶ番組の視聴を検知する視聴状況検知手段と、
前記視聴状況検知手段により検知された前記ＴＶ番組の視聴に係る情報に基づいて、前記ＴＶ番組が視聴者に連続視聴されているか否かを判定する視聴連続性判定手段と、
を更に有し、
前記特定のＴＶ番組が、前記視聴連続性判定手段により前記視聴者に連続視聴されていると判定されたＴＶ番組であること、
を特徴とする請求項１０または１１のいずれかに記載のＴＶ番組録画撮り忘れ防止システム。
【請求項１３】
放送時間における視聴者の不在状況に応じて録画すべきＴＶ番組の指定を受け付ける特定番組指定手段を更に有し、
前記特定のＴＶ番組が、前記特定番組指定手段により指定を受け付けられたＴＶ番組であること、
を特徴とする請求項１０または１１のいずれかに記載のＴＶ番組録画撮り忘れ防止システム。
【請求項１４】
コンピュータを用いてＴＶ番組の録画を行うためのＴＶ番組録画撮り忘れ防止方法であって、
前記ＴＶ番組の視聴を検知する視聴状況検知ステップと、
前記視聴状況検知ステップにより検知された視聴に係る情報に基づいて、前記ＴＶ番組が視聴者に連続視聴されているか否かを判定する視聴連続性判定ステップと、
前記視聴連続性判定ステップにより前記ＴＶ番組が前記視聴者に連続視聴されていると判定されたＴＶ番組について、
予め登録された前記視聴者の予定表、または、前記ＴＶ番組の放送時間前に取得した前記視聴者の位置データに基づいて、前記ＴＶ番組の放送時間に前記視聴者が不在であるか否かを判定する不在状況判定ステップと、
前記不在状況判定ステップにより前記視聴者が不在であると判定されたことに応じて、録画予約機能付ＴＶ番組録画機に前記ＴＶ番組の録画をさせるための指示をする録画指示ステップと、
を有することを特徴とするＴＶ番組録画撮り忘れ防止方法。
【発明の詳細な説明】
【技術分野】
【０００１】
本発明は、ネットワークを介してＴＶ番組を自動的に録画するためのＴＶ番組録画撮り忘れ防止用管理サーバ、防止システム、及び防止方法に関する。
【背景技術】
【０００２】
従来より、ＴＶ番組の録画予約については、ＴＶ番組録画予約機に対して直接予約操作を行う以外に、視聴者が、携帯電話機等の携帯端末から録画したいＴＶ番組を指定して外出先からも予約する方法が知られている。例えば、特許文献１には、携帯端末装置を用いて、番組ガイド情報サイトから取得した番組ガイド情報に基づいて、番組録画予約用電子メールを生成して送出し、番組録画装置が当該電子メールを受信して番組を録画予約する方法が開示されている。
【特許文献１】特開２００７−５９６２号公報
【発明の開示】
【発明が解決しようとする課題】
【０００３】
しかし、特許文献１の方法では、視聴者が録画の予約操作を行わなければ録画は行われないので、視聴者は録画の予約操作を常に忘れないように気をつけていなければならない。
そこで、本発明は、視聴者が録画の予約操作をすることを忘れても、更には録画の予約操作をすることに注意を払う必要もなく、不在で視聴できないＴＶ番組の録画を行うことが可能なＴＶ番組録画撮り忘れ防止用管理サーバ、ＴＶ番組録画撮り忘れ防止システム及びＴＶ番組録画撮り忘れ防止方法を提供することを目的とする。
【課題を解決するための手段】
【０００４】
本発明は、具体的には次のようなものを提供する。なお、理解を容易にするために、本発明の実施形態に対応する符号を付して説明するが、これに限定されるものではない。また、以下の説明において、不在とは、視聴者がＴＶ番組を通常視聴するＴＶ（テレビジョン受像機）の存する場所にいないことをいう。
【０００５】
（１）録画予約機能付ＴＶ番組録画機に、情報家電管理装置を介して接続されたＴＶ番組録画撮り忘れ防止用管理サーバであって、
特定のＴＶ番組の放送時間に、視聴者が前記特定のＴＶ番組を通常視聴するＴＶの存する場所に、不在であるか否かを判定する不在状況判定手段（２２０）と、
前記不在状況判定手段（２２０）が、前記視聴者が不在であると判定したことに応じて、録画予約機能付ＴＶ番組録画機に、前記特定のＴＶ番組の録画をさせるための指示をする録画指示手段（２３０）と、
を備えることを特徴とするＴＶ番組録画撮り忘れ防止用管理サーバ。
【０００６】
この発明によれば、視聴者は、特定のＴＶ番組について、録画予約をしなくても、放送時間における自分の不在状況が判定され、不在の場合にそのＴＶ番組が録画されるので、そのＴＶ番組の録画が行われ、視聴することができる。
【０００７】
（２）ＴＶ番組の視聴に係る情報を受信する視聴情報受信手段（２００）と、
前記視聴情報受信手段（２００）により受信した前記ＴＶ番組の視聴に係る情報に基づいて、前記ＴＶ番組が視聴者に連続視聴されているか否かを判定する視聴連続性判定手段（２１０）と、
を更に有し、
前記特定のＴＶ番組が、前記視聴連続性判定手段（２１０）により視聴者に連続視聴されていると判定されたＴＶ番組であること、
を特徴とする（１）に記載のＴＶ番組録画撮り忘れ防止用管理サーバ。
【０００８】
この発明によれば、視聴者は、自分が連続視聴しているＴＶ番組について、録画予約をしなくても、連続視聴しているか否かが自動的に判定され、連続視聴していると判定された場合は、次に放送時間における自分の不在状況が判定され、不在の場合にそのＴＶ番組が録画されるので、そのＴＶ番組の録画が行われ、連続視聴しているＴＶ番組を見逃すことなく視聴することができる。
【０００９】
（３）放送時間における視聴者の不在状況に応じて録画すべきＴＶ番組の指定を受け付ける特定番組指定手段（２４０）を更に有し、
前記特定のＴＶ番組が、前記特定番組指定手段（２４０）により指定を受け付けられたＴＶ番組であること、
を特徴とする（１）に記載のＴＶ番組録画撮り忘れ防止用管理サーバ。
【００１０】
この発明によれば、視聴者は、自分が指定したＴＶ番組について、録画予約をしなくても、そのＴＶ番組の放送時間における自分の不在状況が判定され、不在の場合にそのＴＶ番組が録画されるので、そのＴＶ番組の録画が行われ、自分が指定したＴＶ番組を見逃すことなく視聴することができる。
【００１１】
（４）前記不在状況判定手段（２２０）は、予め登録された前記視聴者の予定表に基づいて、前記ＴＶ番組の放送時間に前記視聴者が不在であるか否かを判定することを特徴とする（１）から（３）のいずれかに記載のＴＶ番組録画撮り忘れ防止用管理サーバ。
【００１２】
この発明によれば、（１）から（３）のいずれかに記載の発明において、視聴者の、特定のＴＶ番組の放送時間における不在状況が、視聴者が予め登録した予定表に基づいて判定されるので、予定表に正しく登録しておきさえすればそのＴＶ番組が録画されるので、そのＴＶ番組の録画が行われ、見逃すことなく視聴することができる。
【００１３】
（５）前記不在状況判定手段（２２０）は、前記ＴＶ番組の放送時間前に取得した前記視聴者の位置データに基づいて、前記ＴＶ番組の放送時間に前記視聴者が不在であるか否かを判定することを特徴とする（１）から（３）のいずれかに記載のＴＶ番組録画撮り忘れ防止用管理サーバ。
【００１４】
この発明によれば、（１）から（３）のいずれかに記載の発明において、視聴者の、特定のＴＶ番組の放送時間における不在状況が、視聴者の位置データに基づいて判定されるので、位置データが取得できれば予定表等によらなくてもそのＴＶ番組が録画されるので、そのＴＶ番組の録画が行われ、見逃すことなく視聴することができる。
【００１５】
（６）前記視聴者の位置データは、前記ＴＶ番組の放送時間前に複数回の取得が試みられ、前記複数回のうち最も遅く試みられた前記視聴者の位置データの取得が成功しなかった場合は、前記複数回のうち前記視聴者の位置データの取得が成功したもののうち、最も遅く取得された前記視聴者の位置データであることを特徴とする（５）に記載のＴＶ番組録画撮り忘れ防止用管理サーバ。
【００１６】
この発明によれば、（５）に記載の発明において、視聴者の位置データは、ＴＶ番組の放送時間前に複数回の取得が試みられ、最新の位置データが得られない場合は、得られたもののうち最新の位置データに基づいて、そのＴＶ番組の放送時間における視聴者の不在状況が判定されるので、放送直前に位置データの取得ができなかった場合に録画が行われなくなるリスクを軽減することができる。
【００１７】
（７）複数の特定の場所の位置データと、当該特定の場所から自宅までの帰宅所要時間を保有し、
前記不在状況判定手段（２２０）は、前記視聴者の位置データと前記特定の場所の位置データを比較し、近接すると判断した前記特定の場所から自宅までの帰宅所要時間に基づいて、前記ＴＶ番組の放送時間に前記視聴者が不在であるか否かを判定することを特徴とする（６）に記載のＴＶ番組録画撮り忘れ防止用管理サーバ。
【００１８】
この発明によれば、（６）に記載の発明において、視聴者の位置データが帰宅所要時間が既知の場所の位置データと比較され、近接すると判断された場所からの帰宅所要時間に基づいて放送時間における不在状況が判定されるので、不在か否かの判断の精度が高くなり、ＴＶ番組の録画をより確実に行うことができる。
【００１９】
（８）前記視聴者の位置データは、ＧＰＳ対応携帯端末またはＰＨＳ端末を利用して取得する位置データであることを特徴とする（５）から（７）のいずれかに記載のＴＶ番組録画撮り忘れ防止用管理サーバ。
【００２０】
この発明によれば、（５）から（７）のいずれかに記載の発明において、視聴者の位置データは、ＧＰＳ対応携帯端末またはＰＨＳ端末を利用して取得することができるので、現在実用に供しているこれらの端末を利用して、容易に実現することができる。
【００２１】
（９）前記特定のＴＶ番組の放送時間は、番組表データに基づいて定めることを特徴とする（１）から（８）のいずれかに記載のＴＶ番組録画撮り忘れ防止用管理サーバ。
【００２２】
この発明によれば、（１）から（８）のいずれかに記載の発明において、ＴＶ番組の放送時間は、番組表データに基づいて定めるので、放送時間の変更にも容易に対応することができる。
【００２３】
（１０）録画予約機能付ＴＶ番組録画機と接続された情報家電管理装置と、ＴＶ番組録画撮り忘れ防止用管理サーバとを含むＴＶ番組録画撮り忘れ防止システムであって、
特定のＴＶ番組の放送時間に視聴者が不在であるか否かを判定する不在状況判定手段（２２０）と、
前記不在状況判定手段（２２０）が、前記視聴者が不在であると判定したことに応じて、録画予約機能付ＴＶ番組録画機に前記特定のＴＶ番組の録画をさせるための指示をする録画指示手段（２３０）と、
を備えることを特徴とするＴＶ番組録画撮り忘れ防止システム。
【００２４】
この発明によれば、特定のＴＶ番組について、録画予約がされていなくても、放送時間における視聴者の不在状況を判定し、不在の場合にそのＴＶ番組を録画する機能を、ＴＶ番組録画撮り忘れ防止用管理サーバにより実現できるので、早期に導入が可能で、かつレベルアップの容易な運用形態をとることができる。
【００２５】
（１１）録画予約機能付ＴＶ番組録画機と情報家電管理装置とを含むＴＶ番組録画撮り忘れ防止システムであって、
特定のＴＶ番組の放送時間に、視聴者が不在であるか否かを判定する不在状況判定手段（２２０）と、
前記不在状況判定手段（２２０）が、前記視聴者が不在であると判定したことに応じて、録画予約機能付ＴＶ番組録画機に、前記特定のＴＶ番組の録画をさせるための指示をする録画指示手段（２３０）と、
を備えることを特徴とするＴＶ番組録画撮り忘れ防止システム。
【００２６】
この発明によれば、特定のＴＶ番組について、録画予約がされていなくても、放送時間における視聴者の不在状況を判定し、不在の場合にそのＴＶ番組を録画する機能を、家庭に設置した情報家電管理装置によって実現できるので、シンプルな運用形態とすることができる。
【００２７】
（１２）ＴＶ番組の視聴を検知する視聴状況検知手段（１００）と、
前記視聴状況検知手段（１００）により検知された前記ＴＶ番組の視聴に係る情報に基づいて、前記ＴＶ番組が視聴者に連続視聴されているか否かを判定する視聴連続性判定手段（２１０）と、
を更に有し、
前記特定のＴＶ番組が、前記視聴連続性判定手段（２１０）により前記視聴者に連続視聴されていると判定されたＴＶ番組であること、
を特徴とする（１０）または（１１）のいずれかに記載のＴＶ番組録画撮り忘れ防止システム。
【００２８】
この発明によれば、（１０）に記載の発明において、視聴者によるＴＶ番組の視聴が検知され、その検知結果に基づいて連続視聴しているか否かが判定されるので、視聴者が連続視聴しているＴＶ番組について、特に連続視聴をしている旨の指定をする必要がなく、視聴者にとって簡単かつ安心である。
【００２９】
（１３）放送時間における視聴者の不在状況に応じて録画すべきＴＶ番組の指定を受け付ける特定番組指定手段（２４０）を更に有し、
前記特定のＴＶ番組が、前記特定番組指定手段（２４０）により指定を受け付けられたＴＶ番組であること、
を特徴とする（１０）または（１１）のいずれかに記載のＴＶ番組録画撮り忘れ防止システム。
【００３０】
この発明によれば、（１０）に記載の発明において、視聴者は、自分が指定したＴＶ番組について、録画予約をしなくても、そのＴＶ番組の放送時間における自分の不在状況が判定され、不在の場合にそのＴＶ番組が録画されるので、そのＴＶ番組の録画が行われ、自分が指定したＴＶ番組を見逃すことなく視聴することができる。
【００３１】
（１４）コンピュータを用いてＴＶ番組の録画を行うためのＴＶ番組録画撮り忘れ防止方法であって、
前記ＴＶ番組の視聴を検知する視聴状況検知ステップと、
前記視聴状況検知ステップにより検知された視聴に係る情報に基づいて、前記ＴＶ番組が視聴者に連続視聴されているか否かを判定する視聴連続性判定ステップと、
前記視聴連続性判定ステップにより前記ＴＶ番組が前記視聴者に連続視聴されていると判定されたＴＶ番組について、
予め登録された前記視聴者の予定表、または、前記ＴＶ番組の放送時間前に取得した前記視聴者の位置データに基づいて、前記ＴＶ番組の放送時間に前記視聴者が不在であるか否かを判定する不在状況判定ステップと、
前記不在状況判定ステップにより前記視聴者が不在であると判定されたことに応じて、録画予約機能付ＴＶ番組録画機に前記ＴＶ番組の録画をさせるための指示をする録画指示ステップと、
を有することを特徴とするＴＶ番組録画撮り忘れ防止方法。
【００３２】
この発明によれば、視聴者によるＴＶ番組の視聴が検知され、その検知結果に基づいて連続視聴しているか否かが判定され、視聴者が連続視聴しているＴＶ番組について、視聴者の不在状況が判定され、不在の場合にそのＴＶ番組が録画されるので、そのＴＶ番組の録画が確実に行われ、連続視聴しているＴＶ番組を見逃すことなく視聴することができる。
なお、符号を付して説明した構成は、適宜改良してもよく、また、少なくとも一部を他の構成物に代替してもよい。
【発明の効果】
【００３３】
本発明によれば、視聴者が連続視聴しているＴＶ番組や視聴者が予め指定したＴＶ番組について、視聴者が予め登録した予定表や視聴者の位置データに基づいて、ＴＶ番組の放送時間において視聴者が不在か否かが判定され、不在の場合は自動的に録画が行われるので、視聴者は録画予約を忘れても、そのＴＶ番組を見逃すことなく視聴することができる。
また、視聴者が連続視聴しているか否かの判定は、視聴者によるＴＶ番組の視聴が検知され、その検知結果に基づいて行われるので、視聴者は何も気にすることなく、連続視聴しているＴＶ番組を視聴することができる。
【発明を実施するための最良の形態】
【００３４】
本発明は、視聴者が予約操作をすることを忘れても、更には予約操作をすることに注意を払う必要もなく、不在で視聴できない連続視聴番組の録画を行うことが可能なＴＶ番組録画予約用管理サーバ、ＴＶ番組録画予約システム及びＴＶ番組録画予約方法を提供するという目的を、インターネット上に設けたサーバで、ＴＶ番組の視聴の状況を統括的に管理し、視聴の連続性を判定するとともに、インターネット上に設けたカレンダーに登録された予定表や、携行する携帯端末の取得するＧＰＳ等の位置データに基づいて自動的に録画予約をすることによって実現した。
【００３５】
以下、本発明を実施するための最良の実施形態について図を参照しながら説明する。なお、これはあくまでも一例であって、本発明の技術的範囲はこれに限られるものではない。
【００３６】
（第１の実施形態）
［システムの機器配置図］
図１は、第１の実施形態の一例に係るＴＶ番組録画撮り忘れ防止システム（以下、本実施形態の説明において、本システムという。）の機器配置を示す図である。本システムは、情報家電管理装置１０、テレビジョン４１（以下、ＴＶ４１という。）、予約機能付ＴＶ番組録画機４２が家庭内ネットワーク４０を介して接続されている。家庭内ネットワーク４０においては、例えば、ＤＬＮＡ（Ｄｉｇｉｔａｌ  Ｌｉｖｉｎｇ  Ｎｅｔｗｏｒｋ  Ａｌｌｉａｎｃｅ；デジタル・リビング・ネットワーク・アライアンス）、ＵＰｎＰ（ｕｎｉｖｅｒｓａｌ  ｐｌｕｇ  ａｎｄ  ｐｌａｙ）、ＥＣＨＯＮＥＴ（Ｅｎｅｒｇｙ  Ｃｏｎｓｅｒｖａｔｉｏｎ  ａｎｄ  Ｈｏｍｅｃａｒｅ  Ｎｅｔｗｏｒｋ）等のプロトコルが提案されている。ＴＶ４１と予約機能付ＴＶ番組録画機４２は、例えば、ＤＬＮＡ対応の機器であり、家庭内ＬＡＮ等の家庭内ネットワーク４０を介して、ＤＬＮＡプロトコルに則り、例えば、パソコン等の情報家電管理装置１０と、視聴情報や録画予約起動情報の送受を行うことができる。情報家電管理装置１０は、ＣＰＵ１１、メモリ１２、記憶装置１３、通信制御装置１４から構成される。記憶装置１３には、情報家電管理装置１０に接続されているＴＶ４１、予約機能付ＴＶ番組録画機４２等の情報家電のデバイスＩＤとデバイスの種類が記録されている。また記憶装置１３には、情報家電のコントロールに係る一時的情報も記録される。そして、情報家電管理装置１０はインターネット３０を介してＴＶ番組録画撮り忘れ防止用管理サーバ２０と接続されている。ここで情報家電管理装置１０はユーザＩＤによりＴＶ番組録画撮り忘れ防止用管理サーバ２０から識別される。このユーザＩＤは、視聴者が、ＴＶ番組録画撮り忘れ防止用管理サーバ２０にアクセスするために設定されているもので、後述のカレンダーサーバ５０へのアクセスにも使われる。このユーザＩＤは、記憶装置１３に記憶されている。更に、インターネット３０にはインターネット端末としてＰＣ３１−ａと携帯電話機３１−ｂ、及びカレンダーサーバ５０が接続されている。ＴＶ番組録画撮り忘れ防止用管理サーバ２０は、ＣＰＵ２１、メモリ２２、記憶装置２３、通信制御装置２４から構成される。
【００３７】
［システムの機能構成図］
図２は、第１の実施形態の一例に係る本システムの機能構成を示す図である。図１の機器配置図と対応するところは同一の符号をつけて、説明を適宜省略する。
情報家電管理装置１０は、視聴状況検知手段１００と、視聴情報送信手段１１０と、録画予約起動手段１２０とを有する。これらの３つの手段は、情報家電管理装置１０の果たす機能に基づいた分類であって、いずれもＣＰＵ、メモリ、記憶装置、通信制御装置から構成される。視聴状況検知手段１００は、ＴＶ４１の視聴が行われた際に、ＴＶ４１からの信号に基づいて視聴状況を検知する。視聴情報送信手段１１０は、視聴状況検知手段１００が検知したＴＶ４１の視聴状況をＴＶ４１で見たＴＶ番組の視聴情報としてインターネット３０を経由してＴＶ番組録画撮り忘れ防止用管理サーバ２０に送信する。録画予約起動手段１２０は、ＴＶ番組録画撮り忘れ防止用管理サーバ２０からＴＶ番組の録画指示を受信したときに、家庭内ネットワーク４０を介して予約機能付ＴＶ番組録画機４２に録画予約の起動信号を送信する。
【００３８】
ＴＶ番組録画撮り忘れ防止用管理サーバ２０は、視聴情報受信手段２００と、視聴連続性判定手段２１０と、不在状況判定手段２２０と、録画指示手段２３０とを有する。これらの４つの手段は、ＴＶ番組録画撮り忘れ防止用管理サーバ２０の果たす機能に基づいた分類であって、視聴連続性判定手段２１０を除き、いずれもＣＰＵ、メモリ、記憶装置、通信制御装置から構成される。視聴連続性判定手段２１０は、ＣＰＵ２１、メモリ２２、記憶装置２３から構成される。視聴情報受信手段２００は、情報家電管理装置１０から送信されたＴＶ番組の視聴情報を受信する。視聴情報受信手段２００が受信した視聴情報は視聴記録として視聴連続性判定手段２１０に渡され、視聴連続性判定手段２１０は、当該視聴記録に基づいて、当該ＴＶ番組が連続視聴されているか否かを判定する。不在状況判定手段２２０は、外部のカレンダーサーバ５０にある予定表５１を参照し、視聴連続性判定手段２１０により連続視聴されていると判定されたＴＶ番組の次回の放送時間に視聴者が不在であるか否かを判定する。録画指示手段２３０は、不在状況判定手段２２０により次回の放送時間に不在と判定された連続視聴のＴＶ番組について、インターネット３０を経由し、情報家電管理装置１０に録画指示をする。
【００３９】
カレンダーサーバ５０は、ＴＶ番組録画撮り忘れ防止用管理サーバ２０とは別のサーバであり、記憶装置（図示していない）を有し、インターネット端末３１（ＰＣ３１−ａまたは携帯電話機３１−ｂ）により、インターネット３０を経由して視聴者が自分の予定を登録する予定表５１を記憶している。
【００４０】
［テーブル］
図３は、第１の実施形態の一例に係る視聴記録テーブルを示す図である。視聴記録テーブルは、視聴者を識別するためのユーザＩＤ３００、視聴したＴＶ番組のチャンネル３０１、視聴したＴＶ番組の視聴日３０２、視聴したＴＶ番組を視聴した視聴時間３０３、視聴したＴＶ番組の放送された曜日３０４、視聴したＴＶ番組のタイトル３０５を保有する。しかし、これに限られるものではなく、必要に応じて他の項目を保有することもできる。視聴記録テーブルは、記憶装置２３に記憶されている。
【００４１】
図４は、第１の実施形態の一例に係る録画管理番組テーブルを示す図である。視聴連続性判定手段２１０が、視聴したＴＶ番組が連続視聴されていると判定したときに登録する。番組ＮＯ３１０、ユーザＩＤ３１１、チャンネル３１２、放送時間３１３、タイトル３１４、録画指示手段２３０が録画予約指示をすべきか否かが表示されている録画指示表示３１５を保有する。しかし、これに限られるものではなく、必要に応じて他の項目を保有することもできる。録画管理番組テーブルは、記憶装置２３に記憶されている。
【００４２】
図５は、第１の実施形態の一例に係る予定表を示す図である。視聴者を識別するためのユーザＩＤ３２０、予定されている外出日３２１、予定されている外出時間３２２、予定の内容３２３を保有する。しかし、これに限られるものではなく、必要に応じて他の項目を保有することもできる。予定表は、カレンダーサーバ５０に記憶されている。
【００４３】
［処理フロー］
ＴＶ４１は、ＴＶ番組の視聴が始まると、家庭内ネットワーク４０を介して、視聴状況検知手段１００に視聴信号を送信する。視聴信号には、例えば、視聴されたＴＶ番組のチャンネル、視聴日、視聴時間、曜日、タイトル等の視聴情報に、管理情報として視聴が行われたＴＶ４１のデバイスＩＤが付加されている。
【００４４】
視聴状況検知手段１００は、受信したこれらの視聴信号を一旦、記憶装置１３に記憶した後、視聴情報送信手段１１０に渡す。視聴情報送信手段１１０は、受け取った視聴情報にユーザＩＤを付加して、インターネット３０を経由して、ＴＶ番組録画撮り忘れ防止用管理サーバ２０に送信する。以下、このユーザＩＤが付加された視聴情報を単に視聴情報と呼ぶ。
【００４５】
情報家電管理装置１０からＴＶ番組録画撮り忘れ防止用管理サーバ２０に送信された視聴情報は、視聴情報受信手段２００が受信し、視聴記録テーブル（図３）に視聴記録として記録する。
【００４６】
次に、図６に従って、視聴連続性判定手段２１０の処理を説明する。視聴連続性判定手段２１０は、視聴記録テーブル（図３）を、メモリ２２に展開し、（i）曜日３０４、（ii）視聴時間３０３、（iii）チャンネル３０１、（iv）視聴日３０２、（v）タイトル３０５の順に分類する（Ｓ１０００）。これにより、例えば、水曜日の２０時に過去視聴したＴＶ番組があったか否か、あった場合は何チャンネルであったか、視聴日はいつか、タイトルは何だったか等を一目で知ることができる。
【００４７】
次に視聴連続性判定手段２１０は、１日１回（例えば、２２時に）、翌日に放送される番組があるか否かを調べる（Ｓ１０１０）。具体的には以下のように行う。視聴連続性判定手段２１０は、まず翌日と曜日３０４が一致する視聴記録の有無を調べる。例えば、５月９日（水）の２２時に処理を行うのであれば、視聴連続性判定手段２１０は、木曜日に過去視聴した旨の視聴記録があったか否かを見る。もしなければ、視聴連続性判定手段２１０は、翌日に録画すべきＴＶ番組はないものとして判定する（Ｓ１０１０：Ｎ）。
【００４８】
あった場合（Ｓ１０１０：Ｙ）は、視聴連続性判定手段２１０は、視聴時間３０３とチャンネル３０１の分類まで含めて調べ、同一視聴時間でかつ同一チャンネルの視聴記録が１個か、複数個かを見る（Ｓ１０２０）。例えば、過去の木曜日に、視聴時間３０３が１９時の視聴記録が１個、２０時の視聴記録が２個あり、２０時の２個の視聴記録のチャンネル３０１が異なっていれば、視聴連続性判定手段２１０は、これらの３つの視聴記録はっそれぞれ別の番組の視聴記録であるとして、１個が３組と判断する。つまりこれは、過去の木曜日に１回だけ視聴したＴＶ番組が３つあったことを意味する。同一視聴時間でかつ同一チャンネルの視聴記録が１個であれば（Ｓ１０２０：Ｙ）、そのＴＶ番組は過去１回しか視聴されていないから、視聴連続性判定手段２１０は、次に、視聴日３０２を見て、翌日の１週間前であったか否かを見る（Ｓ１０３０）。５月９日の処理の例であれば５月１０日分の処理をしているので、５月３日が翌日の１週間前である。もし１週間前であった場合（Ｓ１０３０：Ｙ）は、そのＴＶ番組は先週初めて見たものであるので、視聴連続性判定手段２１０は、そのＴＶ番組が連続視聴される可能性があると判断し、録画管理番組テーブル（図４）に登録する（Ｓ１０５０）。録画管理番組テーブル（図４）への登録は、ユーザＩＤ３００、チャンネル３０１、視聴時間３０３、タイトル３０５を、それぞれユーザＩＤ３１１、チャンネル３１２、放送時間３１３、タイトル３１４にセットし、番組ＮＯ３１０は、登録順に一連番号をセットする。録画管理番組テーブル（図４）への登録は、以下、同様である。翌日の２週間以上前であれば（Ｓ１０３０：Ｎ）、視聴連続性判定手段２１０は、そのＴＶ番組を一度見た後は視聴しなかったと判断し、録画すべきＴＶ番組ではないものとして判定して、他に判定すべき視聴記録を調べる（Ｓ１０６０）。
【００４９】
同一視聴時間でかつ同一チャンネルの視聴記録が複数個あった場合（Ｓ１０２０：Ｎ）は、同一曜日、同一視聴時間、同一チャンネルで過去複数回の視聴があったことになるので、視聴連続性判定手段２１０は、次に、これらのうちの最新の視聴日３０２を見る（Ｓ１０４０）。そしてそれが所定期間以内（例えば、翌日から２週間以内前）であれば（Ｓ１０４０：Ｙ）、視聴連続性判定手段２１０は、例えば、翌日から２週間前までは連続視聴していたＴＶ番組を、たまたま先週は見なかっただけの可能性があると判断し、録画管理番組テーブル（図４）に登録する（Ｓ１０５０）。最新の視聴日３０２が所定期間より前であった（例えば、翌日の３週間以上前）場合（Ｓ１０４０：Ｎ）は、視聴連続性判定手段２１０は、それまで連続視聴していたＴＶ番組の視聴をやめたものと判断し、録画すべきＴＶ番組ではないものと判定する。そして、他に判定すべき視聴記録を調べる（Ｓ１０６０）。視聴連続性判定手段２１０は、これらの処理を翌日と同一曜日の視聴記録がなくなるまで繰り返す（Ｓ１０６０）。なお、上記の所定期間は視聴者等により適宜設定できるものとする。
【００５０】
次に、図７に従って、不在状況判定手段２２０の処理を説明する。不在状況判定手段２２０は、所定の時間間隔（例えば、１時間ごと）で、録画管理番組テーブル（図４）に、現在から上記時間間隔以内（１時間以内）に放送されるＴＶ番組が登録されているか否かを見る。登録がなかった場合は何も行わない（Ｓ２０００：Ｎ）。登録があった場合（Ｓ２０００：Ｙ）は、不在状況判定手段２２０は、カレンダーサーバ５０にアクセスし、カレンダーサーバ上にある予定表５１からユーザＩＤを検索キーとして、当該ユーザＩＤによって識別される視聴者の予定データを取得する（Ｓ２０１０）。不在状況判定手段２２０からカレンダーサーバ５０へのアクセスは、インターネット３０経由でもよいし、また、運営主体が同一であれば、イントラネット（図示していない）でもよい。そして不在状況判定手段２２０は、取得した予定データの外出時間３２２と録画管理番組テーブルに登録されたＴＶ番組の放送時間３１３とを比較し、今から所定時間以内に行われる当該ＴＶ番組の放送が、予定表に登録されている予定と重なっているか否かを調べる（Ｓ２０２０）。重なっていなかった場合（Ｓ２０２０：Ｎ）は、不在状況判定手段２２０は、視聴者本人が放送時間には自宅にいるものとして、当該ＴＶ番組については何もせず処理を終了する。重なっていた場合（Ｓ２０２０：Ｙ）は、不在状況判定手段２２０は、視聴者が今回の放送は視聴できないものとして、録画管理番組テーブル（図４）の録画指示表示３１５にその旨表示（オンと表示）する。不在状況判定手段２２０は、これらの処理を、録画管理番組テーブル（図４）に登録されたすべてのＴＶ番組について繰り返す（Ｓ２０４０）。録画管理番組テーブル（図４）に登録されたすべてのＴＶ番組について以上の処理が終わったら（Ｓ２０４０：Ｎ）、それらのＴＶ番組の中に録画指示表示３１５をオンとしたものがあるか否かを見る（Ｓ２０５０）。あった場合（Ｓ２０５０：Ｙ）は、録画指示手段２３０に通知する（Ｓ２０６０）。なかった場合は何もしない（Ｓ２０５０：Ｎ）。なお、視聴者は、カレンダーサーバ５０上にある予定表５１に、前述のユーザＩＤをキーとして、インターネット端末３１を用いて、自分の予定を適宜登録することができる。不在状況判定手段２２０は、視聴者の不在状況の判定を、例えば、毎正時（例：１時、２時、３時等）に行うようにしてもよいし、また毎時３０分（例：１時半、２時半、３時半等）に行うようにしてもよい。少なくとも所定の時間間隔（例えば、１時間）で行えば、漏れなく全時間帯のＴＶ番組をカバーできる。また、このようにすることで、例えば、１時間前までの予定の変更にも柔軟に対応することができる。
【００５１】
次に録画指示手段２３０は、録画管理番組テーブル（図４）の録画指示表示３１５を見て、同欄がオンとなっているものについて、ユーザＩＤ３１１により識別される情報家電管理装置１０に、インターネット３０を経由して録画指示を送信する。録画指示には少なくとも、録画日、録画時間、録画チャンネルの情報が含まれる。ここで、録画日は処理時が２３時から２４時までのときは、処理日の翌日、それ以外は処理日である。録画時間と録画チャンネルは録画管理番組テーブル（図４）の内容に基づいて行う。
【００５２】
なお、送信の起動は、情報家電管理装置１０からの照会があったとき、ユーザＩＤが一致すれば送信するようにすればよい。そうすれば、ＴＶ番組録画撮り忘れ防止用管理サーバ２０側で、情報家電管理装置１０のＩＰアドレス等を保有する必要がなく、ユーザＩＤのみ保有すればよいので、情報家電管理装置１０の機器や回線の接続方法が変わっても柔軟に対応することができる。
【００５３】
情報家電管理装置１０の録画予約起動手段１２０は、ＴＶ番組録画撮り忘れ防止用管理サーバ２０から録画指示を受信すると、記憶装置１３に記憶している予約機能付ＴＶ番組録画機４２のデバイスＩＤを取得し、当該デバイスＩＤにより識別される予約機能付ＴＶ番組録画機４２に、家庭内ネットワーク４０を介して録画予約の起動信号を送信する。
【００５４】
以上のようにすることで、視聴者は、連続視聴しているＴＶ番組について、自分で録画予約をしなくても、自分が予定表に登録した予定に基づいて、自動的に録画予約が行われるので、録画を撮り忘れることを防止できる。
【００５５】
（第２の実施形態）
［システムの機器配置図］
図８は、第２の実施形態の一例に係るＴＶ番組録画撮り忘れ防止システム（以下、本実施形態の説明において、本システムという。）の機器配置を示す図である。
なお、以下の各実施形態の説明及び図面において、前述した第１の実施形態と同様の機能を果たす部分には、同一の符号または末尾に同一の符号を付して、重複する説明を適宜省略する。
【００５６】
本システムにおいては、第１の実施形態におけるカレンダーサーバ５０ではなく、位置データ取得サーバ６０が、インターネット３０を介して、ＴＶ番組録画撮り忘れ防止用管理サーバ２０と接続されている。位置データ取得サーバ６０は、通常、位置データ取得サービスを提供する電気通信事業者によって設置されている。そして、ＧＰＳ端末等６１（ＧＰＳ対応携帯端末やＰＨＳ端末）を所持するユーザの位置データが、無線ネットワークを介して集められ、希望する利用者に提供されるようになっている。
図９は、第２の実施形態の一例に係る本システムの機能構成を示す図である。
【００５７】
［テーブル］
図１０は、第２の実施形態の一例に係る位置テーブルを示す図である。場所３３０、場所３３０の経度３３１、場所３３０の緯度３３２、場所３３０から自宅までの帰宅所要時間３３３を保有する。しかし、これに限られるものではなく、必要に応じて他の項目を保有することもできる。位置テーブルは、記憶装置２３に記憶されている。なお、経度と緯度を合わせて位置データと呼ぶことにする。
【００５８】
図１１は、第２の実施形態の一例に係る位置データ取得テーブルを示す図である。位置データを取得すべき時間である位置データ取得時間３４０、一のＴＶ番組の放送について何回目の位置データ取得であるかを示す回数３４１、取得した経度３４２、取得した緯度３４３、位置データを取得に係る番組ＮＯ３４４を保有する。しかし、これに限られるものではなく、必要に応じて他の項目を保有することもできる。位置テーブルは、記憶装置２３に記憶されている。
なお、図３の視聴記録テーブルならびに図４の録画管理番組テーブルは本実施形態でも共通である。
【００５９】
［処理フロー］
第１の実施形態では、視聴者が予め登録した予定表に基づいて不在状況を判定したので、不在状況の判定も、例えば１時間おきに処理することとしたが、第２の実施形態では、視聴者の現在の位置データに基づいて不在状況を判定するので、不在状況の判定の仕方と判定を行う時期が異なる。視聴者の現在の位置データは刻々変わるので、番組の放送直前に位置データを取得するのが最も望ましい。しかし、視聴者の位置データは、視聴者が携行するＧＰＳ端末等から収集するものであるので、電源が切れていた場合等においてはその瞬間の位置データを取得することができない場合がある。そこで、そのリスクを軽減するために、一定時間前から放送直前まで何回かに分けて位置データを取得し、リスクと精度を相互に補えるようにすることが適切である。このようにすれば、放送直前に位置データが取得できなかった場合は、その前に取得した位置データを用いることができるからである。
【００６０】
本実施形態においては、不在状況判定の処理のみが第１の実施形態と異なるが、視聴連続性判定手段２１０の処理の一部と不在状況判定手段２２０の処理について説明する。
本実施形態では、不在状況判定手段２２０は、録画管理番組テーブル（図４）に登録されたＴＶ番組の放送時間の３時間前、１時間前、５分前の計３回、位置データを取得するものとする。なお、３回に限定するものではなく、それ以下、またはそれ以上の回数であっても処理は同様である。録画管理番組テーブル（図４）は視聴連続性判定手段２１０により前日に作成されているので、視聴連続性判定手段２１０が録画管理番組テーブル（図４）を作成した時点で、翌日に、不在状況判定手段２２０が処理を行うべき時間は決定される。つまり、録画管理番組テーブル（図４）に登録されたＴＶ番組が２つあるとすると、その２つのＴＶ番組についてそれぞれ３時間前、１時間前、５分前の計３回の位置データ取得が行われるので、合計６回の位置データ取得時間が決まる。図１１は、放送時間が２０時と２１時の２つのＴＶ番組が録画管理番組テーブルに登録されている場合の例を示している。この例では、これらの２つの番組の番組ＮＯ３４４がそれぞれ１と２となっている。そして、番組ＮＯ３４４が１のＴＶ番組については、１回目の位置データ取得は放送時間の３時間前の１７時、２回目の位置データ取得は放送時間の１時間前の１９時、３回目の位置データ取得は放送時間の５分前の１９時５５分である。番組ＮＯ３４４が２のＴＶ番組については、同様に１回目が１８時、２回目が２０時、３回目が２０時５５分である。そこで、視聴連続性判定手段２１０は、この２つのＴＶ番組を前日の２２時に録画管理番組テーブル（図４）に登録するときに、併せて、合計６回の位置データ取得時間３４０を位置データ取得時間テーブル（図１１）に、時間順に登録する。そしてそれぞれの時間について、関連する番組ＮＯ３４４と、回数３４１をセットする。
【００６１】
以下、図１２に従って、不在状況判定手段２２０の処理フローについて説明する。不在状況判定手段２２０は、この位置データ取得テーブル（図１１）を参照し、指定の時間になったら（Ｓ３０００：Ｙ）、インターネット３０を経由して、位置データ取得サーバ６０から経度と緯度からなる視聴者の位置データを取得する（Ｓ３０１０）。不在状況判定手段２２０は、取得した位置データを当該取得時間における位置データ取得テーブル（図１１）の経度３４２と緯度３４３の欄に記録する。取得できなかった場合は「＊＊＊」を記録する。なお、自宅の経度と緯度は予め取得してＴＶ番組録画撮り忘れ防止用管理サーバ２０の記憶装置２３に記憶しておく。その取得の仕方は、視聴者が自宅において、ＧＰＳ端末等６１の電源を入れた状態で、インターネット端末３１等により、インターネット３０を経由して、ＴＶ番組録画撮り忘れ防止用管理サーバ２０にアクセスし、自宅の位置データ取得の要求を出すことにより行うことができる。ＴＶ番組録画撮り忘れ防止用管理サーバ２０は、当該要求があると、位置データ取得サーバ６０にアクセスして位置データを取得し、それを自宅の位置データとして記憶装置２３に記憶しておく。不在状況判定手段２２０は、ＴＶ番組の放送時間５分前、即ち３回目の位置データ取得を行った際（Ｓ３０２０：Ｙ）、位置データ取得が成功すれば（Ｓ３０４０：Ｙ）、その位置データ（経度、緯度）を用いて、自宅の位置データと比較する（Ｓ３０５０）。両者が一致すれば、視聴者は自宅にいることになるので、不在状況判定手段２２０は、特に何も行わない（Ｓ３０５０：Ｙ）。もし両者が一致しなければ（Ｓ３０５０：Ｎ）、視聴者は放送の５分前に自宅にいないことになるので、録画管理番組テーブル（図４）の当該ＴＶ番組の録画指示表示３１５にその旨表示（オンと表示）して、録画指示手段２３０に通知する（Ｓ３１４０）。
【００６２】
３回目の位置データ取得ができなかった場合（Ｓ３０４０：Ｎ）は、当該ＴＶ番組に関する２回目の位置データ取得結果を調べる（Ｓ３０６０）。図１１の例では、番組ＮＯ３４４が１のＴＶ番組について、３回目（１９：５５）の位置データ取得ができなかったので、当該ＴＶ番組についての２回目（１９：００）の位置データ取得結果を見る。次に、２回目に位置データが取得できていれば（Ｓ３０６０：Ｙ）、その位置データと自宅の位置データを比較し、両者が一致すれば（Ｓ３０７０：Ｙ）、視聴者は１時間前には自宅にいるので、不在状況判定手段２２０は、特に何も行わない。もし両者が一致しなければ（Ｓ３０７０：Ｎ）、視聴者は放送の１時間前に自宅にいなかったことになるので、次に位置テーブル（図１０）に登録された場所の位置データと比較して最も近接する場所を選択する（Ｓ３０８０）。そして当該場所からの帰宅所要時間３３３が１時間より大きいかどうかを調べる（Ｓ３０９０）。帰宅所要時間３３３が１時間より大きい場合（Ｓ３０９０：Ｙ）は、視聴者は放送の１時間前に、１時間では戻れないところにいたことになるので、当該ＴＶ番組を視聴することは不可能と判断し、録画管理番組テーブル（図４）の当該ＴＶ番組の録画指示表示３１５にその旨表示（オンと表示）して、録画指示手段２３０に通知する（Ｓ３１４０）。もし１時間以下の場合（Ｓ３０９０：Ｎ）は、その時間内に帰宅している可能性があるので、不在状況判定手段２２０は、特に何も行わない。図１１の例においては、番組ＮＯ３４４が１のＴＶ番組について、２回目（１９：００）の位置データが取得されているので、その位置データ（経度１３５度、緯度４８度）と、位置テーブル（図１０）の位置データとを比較する。その結果、小田原の位置データと一致するので、１９時には小田原にいたことになり、帰宅所要時間３３３は１時間半となる。これは当該ＴＶ番組の放送が始まるまでの１時間より大きいので、録画指示の対象となる。なお、位置テーブル（図１０）に登録された場所の位置データと近接するか否かは、例えば経度と緯度の違いが０．１パーセント以内か否かで判断する等の基準を決めればよい。２回目の位置データが取得できていない場合（Ｓ３０６０：Ｎ）は、当該ＴＶ番組に関する１回目の位置データ取得結果を調べる（Ｓ３１００）。そして、１回目に位置データが取得できていれば（Ｓ３１００：Ｙ）、その位置データと自宅の位置データを比較し、両者が一致すれば（Ｓ３１１０：Ｙ）、視聴者は３時間前には自宅にいるとして、不在状況判定手段２２０は、特に何も行わない。もし両者が一致しなければ（Ｓ３１１０：Ｎ）、視聴者は放送の３時間前に自宅にいなかったことになるので、次に位置テーブル（図１０）に登録された場所の位置データと比較して最も近接する場所を選択する（Ｓ３１２０）。そして当該場所からの帰宅所要時間３３３が３時間より大きいかどうかを調べる（Ｓ３１３０）。帰宅所要時間３３３が３時間より大きい場合（Ｓ３１３０：Ｙ）は、視聴者は放送の３時間前に、３時間では戻れないところにいたことになるので、当該ＴＶ番組を視聴することは不可能と判断し、録画管理番組テーブル（図４）の当該ＴＶ番組の録画指示表示３１５にその旨表示（オンと表示）して、録画指示手段２３０に通知する（Ｓ３１４０）。もし３時間以下の場合（Ｓ３１３０：Ｎ）は、その時間内に帰宅している可能性があるので、不在状況判定手段２２０は、特に何も行わない。１回目の位置データも取得できていない場合（Ｓ３１００：Ｎ）は、視聴者は所在不明として、安全のために録画管理番組テーブル（図４）の当該ＴＶ番組の録画指示表示３１５にその旨表示（オンと表示）して、録画指示手段２３０に通知する（Ｓ３１４０）。なお、本実施形態では、１つのＴＶ番組について、複数回、位置データを取得して判断することにしたが、ＴＶ番組の放送５分前に１回のみ位置データを取得することにして、位置データが取得できなかった場合は、安全のために録画指示をするようにしてもよい。
【００６３】
なお、録画指示手段２３０は、第１の実施形態同様、録画管理番組テーブル（図４）の録画指示表示３１５を見て、同欄がオンとなっているものについて、ユーザＩＤ３１１により識別される情報家電管理装置１０に、インターネット３０を経由して録画指示を送信する。その際、録画指示に含まれる録画日は処理時が２３時５５分から２４時までのときは、処理日の翌日、それ以外は処理日である。なぜなら、第２の実施形態では、不在状況の判定を放送時間の５分前に行うため、１時間ごとに行っていた第１の実施形態とは異なるからである。録画時間と録画チャンネルは録画管理番組テーブル（図４）の内容に基づいて行う。
【００６４】
この実施形態によれば、視聴者の現在の位置データに基づいて不在状況が判定されるので、予定表を変更することなく予定外の行動を取ったときにも柔軟に対応することができ、ＴＶ番組の録画を漏らすことなく行うことができる。
【００６５】
（第３の実施形態）
第３の実施形態においては、視聴連続性判定手段２１０の処理について別の方法をとる。
［テーブル］
図１３は、第３の実施形態の一例に係る番組テーブルを示す図である。番組テーブルはチャンネル３５０、放送時間３５１、タイトル３５２、Ｇコード３５３を放送される番組ごとに登録したものであり、記憶装置２３に記憶されている。登録内容はＴＶ会社等から提供される番組情報に基づいて、本システムで処理の対象とする日の１日分の全ＴＶ番組について作成する。なお、番組テーブルに保有する項目は、これに限られるものではなく、必要に応じて他の項目を保有することもできる。
【００６６】
図１４は、第３の実施形態の一例に係る視聴回数テーブルを示す図である。ユーザＩＤ３６０、チャンネル３６１、タイトル３６２、放送回数３６３、視聴回数３６４、視聴回数比率３６５、最終視聴日３６６を保有する。視聴回数テーブルは、視聴記録テーブル（図３）に視聴記録のあるＴＶ番組について、放送回数と視聴回数を記録して視聴頻度を調べるために作成するものであり、記憶装置２３に記憶されている。なお、視聴回数テーブルに保有する項目は、これに限られるものではなく、必要に応じて他の項目を保有することもできる。
【００６７】
図１５は、第３の実施形態の一例に係る録画管理番組テーブルを示す図である。これは既述の実施形態における録画管理番組テーブル（図４）にＧコード３１６を加えたものである。
【００６８】
［処理フロー］
本実施形態では、視聴連続性判定手段２１０の処理のみが異なり、他の手段は既述の実施形態と同様である。
まず、視聴連続性判定手段２１０は、既述の実施形態と同様１日１回、処理を行うものとする。
【００６９】
以下、図１６に従って、視聴連続性判定手段２１０の処理フローを説明する。視聴記録テーブル（図３）に、前日処理をした後に新しい視聴記録があれば（Ｓ４０００：Ｙ）、視聴連続性判定手段２１０は、それを視聴回数テーブル（図１４）に反映する（Ｓ４０１０）。反映の仕方は、チャンネル３０１とタイトル３０５が同一のＴＶ番組について、視聴回数テーブル（図１４）にすでに登録があれば視聴回数３６４に１加算し、最終視聴日３６６に視聴日３０２をセットする。登録がなければ、視聴回数テーブル（図１４）に新しく登録する。登録は、ユーザＩＤ３００、チャンネル３０１、タイトル３０５をそれぞれユーザＩＤ３６０、チャンネル３６１、タイトル３６２にセットし、放送回数３６３と視聴回数３６４には１を、最終視聴日３６６には視聴日３０２をそれぞれセットする。視聴回数比率３６５には視聴回数３６４を放送回数３６３で割ったものをセットする。
【００７０】
次に、視聴回数テーブル（図１４）に登録されているＴＶ番組について、翌日の番組テーブル（図１３）から放送予定の有無を調べる（Ｓ４０２０）。調べる方法は、チャンネル３６１とタイトル３６２がチャンネル３５０とタイトル３５２に一致するものを検索すればよい。一致するものがあった場合（Ｓ４０２０：Ｙ）は、放送回数３６３を１だけ加算し、視聴回数比率３６５を計算する（Ｓ４０３０）。そして、最終視聴日３６６が翌日から１週間以内のもの（Ｓ４０４０：Ｙ）、及び最終視聴日３６６が翌日から１週間以上前であっても、視聴回数比率３６５が所定の比率を超えているもの（Ｓ４０５０：Ｙ）（例えば、７０パーセント以上）について、録画管理番組テーブル（図１５）に登録する（Ｓ４０６０）。その際、ユーザＩＤ３１１と、チャンネル３１２と、タイトル３１４は視聴回数テーブル（図１４）からセットするが、放送時間３１３とＧコード３１６は、番組テーブル（図１３）からセットする。最終視聴日３６６が翌日から１週間以上前であって、視聴回数比率３６５が所定の比率以下のものについては何もしない（Ｓ４０５０：Ｎ）。
【００７１】
翌日の番組テーブル（図１３）にチャンネルとタイトルが一致するものが見つからなければ、翌日にそのＴＶ番組の放送はないものとして、何もしない（Ｓ４０２０：Ｎ）。こうすることで、放送時間が変更になった場合や、放送日が数日程度（１週間以内）変更になった場合でも、確実に録画管理を行うことができる。
【００７２】
なお、録画指示手段２３０は、録画管理番組テーブル（図４）の録画指示表示３１５を見て、同欄がオンとなっているものについて、ユーザＩＤ３１１により識別される情報家電管理装置１０に、インターネット３０を経由して録画指示を送信する。本実施形態においては、録画指示には少なくとも、録画日、録画時間、録画チャンネル及びＧコードの情報が含まれる。本実施形態においては、Ｇコードは番組テーブルから取得できるからである。
【００７３】
（第４の実施形態）
［システムの機器配置図］
図１７は、第４の実施形態の一例に係るＴＶ番組録画撮り忘れ防止システム（以下、本実施形態の説明において、本システムという。）の機器配置を示す図である。
本システムにおいては、第１または第２の実施形態におけるＴＶ番組録画撮り忘れ防止用管理サーバ２０の役割を情報家電管理装置１０に持たせたため、ＴＶ番組録画撮り忘れ防止用管理サーバ２０がない以外は、第１または第２の実施形態において説明した機器をすべて含む。
【００７４】
［システムの機能構成図］
図１８は、第４の実施形態の一例に係る本システムの機能構成を示す図である。
本システムにおいては、第１または第２の実施形態におけるＴＶ番組録画撮り忘れ防止用管理サーバがないため、同サーバにあった視聴連続性判定手段２１０と不在状況判定手段２２０と録画指示手段２３０は情報家電管理装置１０にある。情報家電管理装置１０とＴＶ番組録画撮り忘れ防止用管理サーバ２０が一体化したことにより、視聴情報送信手段１１０と視聴情報受信手段２００と録画予約起動手段１２０はない。それ以外は、第１または第２の実施形態において説明したものと同様である。
【００７５】
［処理フロー］
情報家電管理装置１０とＴＶ番組録画撮り忘れ防止用管理サーバ２０はともに、ＣＰＵ、メモリ、記憶装置、通信制御装置から構成され、インターネット３０を通じて他のサーバへのアクセスをすることができるので、両者を一体化することにより、ＴＶ番組録画撮り忘れ防止用管理サーバ２０が有していた機能を、すべて情報家電管理装置１０で行うようにすることができる。その際、情報家電管理装置１０とＴＶ番組録画撮り忘れ防止用管理サーバ２０の間で、視聴情報を送受信していた視聴情報送信手段１１０と視聴情報受信手段２００は不要となるので、視聴状況検知手段１００は、ＴＶ４１から受信した視聴信号を一旦、記憶装置１３に記憶した後、視聴連続性判定手段２１０に渡す。視聴連続性判定手段２１０と不在状況判定手段２２０は、第１または第２の実施形態の場合と同様の処理をする。本実施形態における録画指示手段２３０は、第１または第２の実施形態の場合の録画指示手段２３０の処理と録画予約起動手段１２０の処理を併せて行う。
なお、ＴＶ番組録画撮り忘れ防止用管理サーバ２０の記憶装置２３に記憶されていた各テーブルは、本実施形態では記憶装置１３に記憶する。
【００７６】
このようにすることで、ＴＶ番組録画撮り忘れ防止用管理サーバ２０がなくても情報家電管理装置１０で処理を完結することができ、システムが簡潔となる。
【００７７】
（第５の実施形態）
既述の実施形態では、いずれも過去の視聴記録に基づいて連続視聴されていると判定されたＴＶ番組について録画の管理を行う例を説明したが、これに限られるものではない。
視聴者が予め指定したＴＶ番組については、連続視聴性の判定をせずに、不在状況のみを判断して録画の管理を行うようにしてもよい。
【００７８】
［システムの機能構成図］
図１９は、第５の実施形態の一例に係るＴＶ番組録画撮り忘れ防止システムの機能構成を示す図である。
本実施形態では、図２と比較して、視聴状況検知手段１００、視聴情報送信手段１１０、視聴情報受信手段２００、視聴連続性判定手段２１０がなく、特定番組指定手段２４０が存在する。特定番組指定手段２４０は視聴者からのＴＶ番組の指定を受け付ける手段である。
【００７９】
［テーブル］
図２０は、第５の実施形態の一例に係る特定番組テーブルを示す図である。特定番組テーブルは、視聴者を識別するためのユーザＩＤ３７０、視聴したいＴＶ番組のチャンネル３７１、視聴したいＴＶ番組の放送日３７２、視聴したいＴＶ番組の放送時間３７３、視聴したいＴＶ番組の放送される曜日３７４、視聴したいＴＶ番組のタイトル３７５、視聴したいＴＶ番組のＧコード３７６が保有されており、視聴者が予め見たいＴＶ番組をＴＶ番組録画撮り忘れ防止用管理サーバ２０に対して指定することにより、ＴＶ番組録画撮り忘れ防止用管理サーバ２０において作成する。その際、視聴者は、特定番組テーブル（図２０）の各項目について、入力するものとする。特定番組テーブル（図２０）は記憶装置２３に記憶されており、上記以外の項目を保有するようにしてもよい。
【００８０】
［処理フロー］
視聴者は、インターネット端末３１等により、ＴＶ番組録画撮り忘れ防止用管理サーバ２０に対して、自分の不在状況を判定して録画管理をしてほしいＴＶ番組について指定する。特定番組指定手段２４０は視聴者からのＴＶ番組の指定を受け付け、入力内容を特定番組テーブル（図２０）に登録する。特定番組テーブル（図２０）への登録は、視聴者が入力した内容をそのまま登録してもよいが、ＴＶ会社等から提供される番組情報に基づいて、入力用選択画面を表示し、その画面からＴＶ番組を選択することで入力するようにすれば簡便である。しかし、入力方法は問わない。その後、特定番組指定手段２４０は、特定番組テーブル（図２０）に基づいて、録画管理番組テーブル（図１５）を作成する。
録画管理番組テーブル（図４）を作成する時点は、既述の実施形態と同様、１日１回、例えば２２時でよい。
【００８１】
特定番組指定手段２４０は、放送日３７２が翌日のＴＶ番組について、特定番組テーブル（図２０）から録画管理番組テーブル（図１５）を作成する。作成方法は、ユーザＩＤ３７０、チャンネル３７１、放送時間３７３、タイトル３７５、Ｇコード３７６を、それぞれユーザＩＤ３１１、チャンネル３１２、放送時間３１３、タイトル３１４、Ｇコード３１６にセットする。
【００８２】
このようにすることで、視聴者は、連続視聴しているＴＶ番組でなくても、自分が予め指定したＴＶ番組について、自分で録画予約を忘れても、自分が予定表に登録した予定に基づいて、自動的に録画予約が行われるので、録画を撮り忘れることを防止できる。
【００８３】
（その他の実施形態）
既述の実施形態では、ＴＶ４１や予約機能付ＴＶ番組録画機４２のデバイスＩＤは、情報家電管理装置１０の記憶装置１３に記憶され、ＴＶ番組録画撮り忘れ防止用管理サーバ２０に送信されることはなかった。したがって、実際に録画する予約機能付ＴＶ番組録画機４２が複数台あるような場合、どの予約機能付ＴＶ番組録画機４２で録画するかは、情報家電管理装置１０が決定し、ＴＶ番組録画撮り忘れ防止用管理サーバ２０は関与しなかった。しかし、ＴＶ４１や予約機能付ＴＶ番組録画機４２のデバイスＩＤをＴＶ番組録画撮り忘れ防止用管理サーバ２０に送信し、ＴＶ番組録画撮り忘れ防止用管理サーバ２０がどの予約機能付ＴＶ番組録画機４２で録画するかを決定するようにしてもよい。
【００８４】
このようにすると、視聴者は、これらの処理方法をＴＶ番組録画撮り忘れ防止用管理サーバ２０に対して指示することができるので、メーカーによって区々となる可能性のある情報家電管理装置１０の操作から開放される。
【００８５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００８６】
【図１】第１の実施形態の一例に係るＴＶ番組録画撮り忘れ防止システムの機器配置図である。
【図２】第１の実施形態の一例に係るＴＶ番組録画撮り忘れ防止システムの機能構成図である。
【図３】第１の実施形態の一例に係る視聴記録テーブルを示す図である。
【図４】第１の実施形態の一例に係る録画管理番組テーブルを示す図である。
【図５】第１の実施形態の一例に係る予定表を示す図である。
【図６】第１の実施形態の一例に係る視聴連続性判定手段が行う処理のフローチャートである。
【図７】第１の実施形態の一例に係る不在状況判定手段が行う処理のフローチャートである。
【図８】第２の実施形態の一例に係るＴＶ番組録画撮り忘れ防止システムの機器配置図である。
【図９】第２の実施形態の一例に係るＴＶ番組録画撮り忘れ防止システムの機能構成図である。
【図１０】第２の実施形態の一例に係る位置テーブルを示す図である。
【図１１】第２の実施形態の一例に係る位置データ取得テーブルを示す図である。
【図１２−１】第２の実施形態の一例に係る不在状況判定手段が行う処理のフローチャート（その１）である。
【図１２−２】第２の実施形態の一例に係る不在状況判定手段が行う処理のフローチャート（その２）である。
【図１３】第３の実施形態の一例に係る番組テーブルを示す図である。
【図１４】第３の実施形態の一例に係る視聴回数テーブルを示す図である。
【図１５】第３の実施形態の一例に係る録画管理番組テーブルを示す図である。
【図１６】第３の実施形態の一例に係る視聴連続性判定手段が行う処理のフローチャートである。
【図１７】第４の実施形態の一例に係るＴＶ番組録画撮り忘れ防止システムの機器配置を示す図である。
【図１８】第４の実施形態の一例に係るＴＶ番組録画撮り忘れ防止システムの機能構成を示す図である。
【図１９】第５の実施形態の一例に係るＴＶ番組録画撮り忘れ防止システムの機能構成を示す図である。
【図２０】第５の実施形態の一例に係る特定番組テーブルを示す図である。
【符号の説明】
【００８７】
１０  情報家電管理装置
２０  ＴＶ番組録画撮り忘れ防止用管理サーバ
３０  インターネット
３１  インターネット端末
３１−ａ  ＰＣ
３１−ｂ  携帯電話機
４０  家庭内ネットワーク
４１  ＴＶ（テレビジョン）
４２  予約機能付ＴＶ番組録画機
５１  予定表
５０  カレンダーサーバ
６０  位置データ取得サーバ
６１  ＧＰＳ端末等
１００  視聴状況検知手段
１１０  視聴情報送信手段
１２０  録画予約起動手段
２００  視聴情報受信手段
２１０  視聴連続性判定手段
２２０  不在状況判定手段
２３０  録画指示手段
２４０  特定番組指定手段
【図１】
2008294683.tif 000003
【図２】
2008294683.tif 000004
【図３】
2008294683.tif 000005
【図４】
2008294683.tif 000006
【図５】
2008294683.tif 000007
【図６】
2008294683.tif 000008
【図７】
2008294683.tif 000009
【図８】
2008294683.tif 000010
【図９】
2008294683.tif 000011
【図１０】
2008294683.tif 000012
【図１１】
2008294683.tif 000013
【図１２−１】
2008294683.tif 000014
【図１２−２】
2008294683.tif 000015
【図１３】
2008294683.tif 000016
【図１４】
2008294683.tif 000017
【図１５】
2008294683.tif 000018
【図１６】
2008294683.tif 000019
【図１７】
2008294683.tif 000020
【図１８】
2008294683.tif 000021
【図１９】
2008294683.tif 000022
【図２０】
2008294683.tif 000023